(57)【要約】      （修正有）【課題】アトラクション、パーティー、運動会などで広く使われているくす玉のような使用が可能で、籠、容器などの内容物を確実に落下、効果的に散乱させることが出来、くす玉に比べて構造が簡単で作り易く短時間に繰り返し使用出来る籠、容器、アダプタを提供する。【解決手段】籠１の底縁部に取り付けられた吊り紐２を長方形板状のアダプタ４の下部の孔に通して結び、吊り紐と反対側に位置する底縁部に取り付けられた操作紐３をアダプタの平面部近くで折り返し、折り返した部分をアダプタ平面部に接触させて、輪ゴム９で絡めて固定する。輪ゴムの余った部分はアダプタの上部の溝に巻き付けると操作紐を引いたとき、籠を滑らかに反転出来る。【選択図】図１
0003209372.tif 000002
【実用新案登録請求の範囲】
【請求項１】
部屋の天井から吊り下げた籠または容器を人間の紐を引く操作により反転させ、入れられた内容物を一度に残り無く、全部落下散乱させることが出来る籠又は容器。
【請求項２】
反転操作を確実に行うため、操作紐に折り返しを設け、この部分をアダプタの側面で輪ゴム、ゴム紐、落下防止機能付きクリップなどで固定する方法。
【請求項３】
籠または容器などの反転動作を誤動作無く、確実に行うためのアダプタとその構造。
【請求項４】
同上目的で使用するアダプタの形状は板状に限定されず、円柱状、多角形柱状、球状、円盤状などを含む。
【請求項５】
反転動作をさせる一本の操作紐の他にダミーの操作紐を複数本取り付け、抽選機能を設けた反転可能な籠または容器。
【請求項６】
アトラクション、運動会などで広く使われるくす玉のような使い方が出来る、装飾を施した反転可能な籠または容器。
【考案の詳細な説明】
【技術分野】
【０００１】  本考案はアトラクション、パーティー用品に関するものである。
【背景技術】
【０００２】  アトラクション、パーティー余興などの催し物では、従来からくす玉が広く使われている。
【先行技術文献】
【特許文献】
【０００３】
【特許文献１】特開  ２０００−２３５９０号  公報
【特許文献２】特開  ２００５−２７９４５０号  公報
【考案の概要】
【考案が解決しようとする課題】
【０００４】  くす玉のようにアトラクション、パーティー用品として、天井より吊り下げた籠または容器を人間が紐を引く操作で反転し、内容物を残り無く落下散乱させる。
【課題を解決するための手段】
【０００５】  本考案は籠又は容器の底縁部に取り付けられた複数本の吊り紐の内、たとえば一例として、片側の２本をアダプタの下側の孔に通して結び、これに対応する側の１本をアダプタの側面近くで折り返し、この部分をアダプタ側面に輪ゴム、ゴム紐を使って固定するか、落下防止用の紐が付いたクリップで挟んでアダプタに固定する。このようにすることにより、折り返した操作紐の一端を引くことにより。天井より吊り下げられた籠または容器の反転動作可能になる。
【考案の効果】
【０００６】  上述のように本考案のアトラクション、パーティー用品を使うことにより、籠または容器に入れられた内容物を確実に落下散乱させることが出来るため、会場の雰囲気を盛り上げることが出来る。また、また籠、容器などは特別な物は不要であり、くす玉とは異なり、構造が簡単で短時間で準備が出来るため、繰り返し使用出来る利点がある。
【図面の簡単な説明】
【０００７】
【図１】本考案の実施例を示す図である。
【図２】アダプタの一例を示す図である。
【考案を実施するための形態】
【０００８】  本考案のアトラクション、パーティー用反転可能な吊り籠はアダプタの上部の孔を利用して、天井より吊り下げ、アダプタ下部の孔を利用して籠の片側に位置する紐を固定すると共に、反対側に位置する操作用の紐を籠が水平になるような長さ部分で折り返し、その折り返し部分を輪ゴム、ゴム紐、クリップなどで固定することにより使用が可能となる。
【実施例】
【０００９】  以下、添付図面に従って、一実施例を説明する。１は籠２は籠の底縁部に取り付けられた吊り紐、３は２の吊り紐と対面側に取り付けられた操作紐である。４はアダプタで２の吊り紐、３の操作紐をまとめると共にアダプタ孔５と鉤の付いた紐１０で天井より吊り下げている。アダプタ４の上部の溝７は絡めた輪ゴム９の余り部分を巻き付けることにより、籠の反転動作がより円滑になる。
【産業上の利用可能性】
【００１０】  アトラクション、パーティー用品製造業のみでなく、ほかの産業においても容器の反転動作などの用途への利用も考えられる。
【符号の説明】１  籠本体
２  籠の底縁部の片側に取り付けられた吊り紐
３  吊り紐と反対側に取り付けられた操作紐
４  アダプタ
５  アダプタ下部の孔
６  アダプタ上部の孔
７  アダプタ上部の溝
８  アダプタ下部も溝
９  輪ゴム
１０  天井に吊すための鉤つき吊り紐
【図１】
0003209372.tif 000003
【図２】
0003209372.tif 000004
【手続補正書】
【提出日】平成28年7月15日(2016.7.15)
【手続補正１】
【補正対象書類名】実用新案登録請求の範囲
【補正対象項目名】全文
【補正方法】変更
【補正の内容】
【実用新案登録請求の範囲】
【請求項１】
籠または容器の底の外周部に結びつけられた複数本の固定紐と対面する外周部に結びつけられた１本の操作紐を取り付けた籠または容器と天井より吊り下げる目的で使用する鉤の付いた吊り紐をアダプタと組み合わせ、天井より吊り下げる構造になっていて、人間の紐を引く操作により反転させ、入れられた内容物を一度に残り無く、全部落下散乱させることが出来る籠または容器。
【請求項２】
籠または容器の反転操作を確実に行うために大切な役目をする、操作紐の折り返し部分を輪ゴム、ゴム紐、落下防止機能付きクリップで容易に固定できる構造のアダプタ。
【請求項３】
反転動作を誤動作無く、確実に行うため、操作紐の折り返し部分を固定する目的のほか、上部に吊り紐用の孔、下部には籠または容器を吊り下げるための固定紐用の孔、周囲に輪ゴム、ゴム紐の滑り止めを目的とした切欠きを設けたアダプタ。
【請求項４】
円滑な反転動作の中核となるアダプタの形状は長方形の板状に限定されず、円柱状、多角形柱状、球状、円盤状の構造にしても良い。
【請求項５】
反転動作に関わる１本の操作紐の他に、反転動作に関係しないダミーの操作紐と合わせて抽選参加人数分用意し、ダミーの操作紐のみを束ねて、アダプタ下部の孔を利用して固定、ダミーの紐は軽く引き抜ける構造とし、操作紐もそれに沿わせる。操作紐とダミーの紐は材質、色、長さを同一とし、取り付けた部分が外部から見えない様に覆って、抽選機能を設けた反転可能な籠または容器。
【請求項６】
籠または容器の形状を半円球状、立方体状、動物の形状にして装飾し、大きさについても会場に見合った大きさにしたアトラクション会場、運動会などで使われるくす玉の様な使い方が出来るように装飾を施した反転可能な籠または容器。
【手続補正書】
【提出日】平成28年9月16日(2016.9.16)
【手続補正１】
【補正対象書類名】実用新案登録請求の範囲
【補正対象項目名】全文
【補正方法】変更
【補正の内容】
【実用新案登録請求の範囲】
【請求項１】
籠または容器の底の外周部に結びつけられた複数本の固定紐と対面する外周部に結びつけられた１本の操作紐を取り付けた籠または容器と天井より吊り下げる目的で使用する鉤の付いた吊り紐をアダプタと組み合わせ、天井より吊り下げる構造になっていて、人間の紐を引く操作により反転させ、入れられた内容物を一度に残り無く、全部落下散乱させることが出来る籠または容器。
【請求項２】
籠または容器をバランス良く、水平に吊すための固定紐と操作紐をまとめる役目と確実な反転動作を担うため、固定紐を取り付ける孔と操作紐の折り返し部分を輪ゴム、ゴム紐での固定および操作紐の動きを妨げない、挟む面が平坦で、落下防止機能付きクリップで挟んで容易に固定可能な平面を有する長方形で板状のアダプタ。
【請求項３】
反転動作を誤動作無く、確実に行うため、操作紐の折り返し部分を固定する目的のほか、上部に吊り紐用の孔、下部には籠または容器を吊り下げるための固定紐用の孔、周囲に輪ゴム、ゴム紐の滑り止めを目的とした切欠きを設けたアダプタ。
【請求項４】
、
円滑な反転動作の中核となるアダプタの形状は長方形の板状に限定されず、円柱状、多角形柱状、円盤状で上部に吊り紐用の孔、下部に籠または容器吊り下げる固定紐用の孔を有し、側面で操作紐を固定出来る構造または球状で上下に、吊り下げ紐の固定用留具、地球の赤道に相当する部分に輪ゴム、ゴム紐の滑り止め用の溝を有する構造のアダプタ。
【請求項５】
反転動作に関わる１本の操作紐の他に、反転動作に関係しないダミーの操作紐と合わせて抽選参加人数分用意し、ダミーの操作紐のみを束ねて、アダプタ下部の孔を利用して固定、ダミーの紐は軽く引き抜ける構造とし、操作紐もそれに沿わせ、操作紐とダミーの紐は材質、色、長さを同一とし、取り付けた部分が外部から見えない様に覆って、抽選機能を設けた反転可能な籠または容器。
【請求項６】
籠または容器の形状を半円球状、または蓋付きの立方体状、上部が蓋を兼ねた開放可能な動物の形状にし、完全な反転が可能な位置に、固定紐と操作紐を取り付け、前項のアダプタと組み合わせ、周囲を造花で装飾し、大きさについても会場に見合った大きさにしたアトラクション会場、運動会などで使われるくす玉の様な使い方が出来るようにした反転可能な籠または容器。
【手続補正書】
【提出日】平成28年12月20日(2016.12.20)
【手続補正１】
【補正対象書類名】実用新案登録請求の範囲
【補正対象項目名】全文
【補正方法】変更
【補正の内容】
【実用新案登録請求の範囲】
【請求項１】
籠または容器の底の外周部に結びつけられた複数本の固定紐と対面する外周部に結びつけられた１本の操作紐を取り付けた籠または容器と天井より吊り下げる目的で使用する鉤の付いた吊り紐をアダプタと組み合わせ、天井より吊り下げる構造になっていて、人間の紐を引く操作により反転させ、入れられた内容物を一度に残り無く、全部落下散乱させることが出来る籠または容器。
【請求項２】
籠または容器をバランス良く、水平に吊すための固定紐と操作紐をまとめる役目と確実な反転動作を担うため、固定紐を取り付ける孔と操作紐の折り返し部分を輪ゴム、ゴム紐での固定および操作紐の動きを妨げない、挟む面が平坦で、落下防止機能付きクリップで挟んで容易に固定可能な平面を有する長方形で板状のアダプタ。
【請求項３】
反転動作を誤動作無く、確実に行うため、操作紐の折り返し部分を固定する目的のほか、上部に吊り紐用の孔、下部には籠または容器を吊り下げるための固定紐用の孔、周囲に輪ゴム、ゴム紐の滑り止めを目的とした切欠きを設けたアダプタ。
【請求項４】
円滑な反転動作の中核となるアダプタの形状は長方形の板状に限定されず、円柱状、多角形柱状、円盤状で上部に吊り紐用の孔、下部に籠または容器吊り下げる固定紐用の孔を有し、側面で操作紐を固定出来る構造または球状で上下に、吊り下げ紐の固定用留具、地球の赤道に相当する部分に輪ゴム、ゴム紐の滑り止め用の溝を有する構造のアダプタ。
【請求項５】
天井から吊り下げるための紐とアダプタを介して、吊り下げられた籠または容器の反転動作に関わる１本の操作紐の他に、反転動作に関係しないダミーの操作紐と合わせて抽選参加人数分用意し、ダミーの操作紐のみを軽く引き抜ける構造として束ね、操作紐の折り返し部分を止める機能を有するアダプタ下部の孔を利用して、束ねたダミーの操作紐の上端部を固定、操作紐もそれに沿わせ、操作紐とダミーの操作紐は材質、色、長さを同一とし、区別が出来ないようにし、アダプタ下部の孔に取り付けた部分が外部から見えない様に覆って、抽選機能を設けた反転可能な籠または容器。
【請求項６】
籠または容器の形状を半円球状、または蓋付きの立方体状、上部が蓋を兼ねた開放可能な動物の形状にし、完全な反転が可能な位置に、固定紐と操作紐を取り付け、アダプタと組み合わせ、周囲を造花で装飾し、大きさについても会場に見合った大きさにしたアトラクション会場、運動会などで使われるくす玉の様な使い方が出来るようにした反転可能な籠または容器であって、組み合わせたアダプタは誤動作が無く、確実な反転動作を可能にしたことを特徴とする請求項２に記載のアダプタ。